(57)【要約】      （修正有）【課題】レンズ面に形成された複数の溝に形成された光吸収体の広がりを押さえたフレネルレンズとその製造方法を提供する。【解決手段】レンズ面に形成された複数の溝３と、上記溝３に形成された光吸収体５０と、を含み、上記光吸収体５０は波打ち形状を為しているフレネルレンズ１を用いる。また、ノズルから光吸収体５０を有するインク３３を、フレネルレンズ１の溝３の下底部にドット状で吐出させる第１工程と、上記ドット状のインク３３を硬化させる第２工程と、上記インク３３を、上記溝３の側壁に対してドット状に吐出させる第３工程と、上記側壁に吐出させたインク３３を硬化させる第４工程と、を含む。【選択図】図８
2018101098.tif 000002
【特許請求の範囲】
【請求項１】
レンズ面に形成された複数の溝と、
前記溝に形成された光吸収体と、を含み、
前記光吸収体は波打ち形状を為しているフレネルレンズ。
【請求項２】
前記光吸収体は、複数のドット体からなる請求項１記載のフレネルレンズ。
【請求項３】
前記光吸収体は、溝の底部に複数の第１ドット体が前記溝に沿って並び、複数の第２ドット体が前記複数の第１ドット間に配列されている請求項１または２記載のフレネルレンズ。
【請求項４】
前記第１ドット体の径は、前記第２ドット体の径より小さい請求項３記載のフレネルレンズ。
【請求項５】
前記複数の第１ドット体のピッチは、側壁の幅と同等長さのピッチである請求項３または４記載のフレネルレンズ。
【請求項６】
前記第１ドット体は、カーボン粒子を含む請求項３〜５のいずれか１項に記載のフレネルレンズ。
【請求項７】
ノズルから光吸収体を有するインクを、フレネルレンズの溝の下底部にドット状で吐出させる第１工程と、
前記ドット状のインクを硬化させる第２工程と、
前記インクを、前記溝の側壁に対してドット状に吐出させる第３工程と、
前記側壁に吐出させたインクを硬化させる第４工程と、
を含むフレネルレンズの膜形成方法。
【発明の詳細な説明】
【技術分野】
【０００１】
本発明は、フレネルレンズとフレネルレンズの膜形成方法に、関するものである。特に、フレネルレンズとフレネルレンズのレンズ面に形成された溝の側壁に光吸収体を形成する方法に関するものである。
【背景技術】
【０００２】
映像等の光源を拡大させて表示させるための光学系部材としてフレネルレンズが用いられる。フレネルレンズは、図１（ａ）の斜視図に示すように、フレネルレンズ１０１のレンズ面１０２に複数個の平行直線状の溝１０３が形成されている。図１（ａ）のレンズ面１０２のＡ部分を拡大した断面図を図１（ｂ）に示す。この断面図に示すようにフレネルレンズ１０１のレンズ面１０２の溝１０３は垂直ではなく、若干の傾斜をもった側壁を形成している。
【０００３】
従来、フレネルレンズ１０１において投射光を照射したとき光学特性の悪化を招く場合があった。投射光をフレネルレンズ１０１のレンズ面１０２に入射させたとき、投射光がフレネルレンズ１０１のレンズ面１０２に形成された溝１０３の側壁で反射し、この反射光がフレネルレンズ１０１内で散乱光となり光学特性の悪化を引き起こすためである。
【０００４】
そこで、特許文献１においては、投射光を投射したときフレネルレンズ１０１のレンズ面１０２に形成された溝１０３の側壁で反射させず散乱光を抑えるため、図１（ｃ）に示すフレネルレンズ１０１の断面図のように、フレネルレンズ１０１のレンズ面１０２に形成された溝１０３の側壁に光吸収体１０４を塗布することが提案されている。フレネルレンズ１０１のレンズ面１０２に形成された溝１０３の側壁へ光吸収体１０４を形成する方法としては、例えば、特許文献２に示すように、光吸収体１０４を形成したフィルムを張り合わせて形成する方法がある。
【０００５】
しかしながら、光吸収体１０４を形成したフィルムを張り合わせで形成する場合、位置合わせなどが必要なため、ある程度、溝１０３の形状が大きいレンズに限られてしまう。また、フレネルレンズ１０１の設計ごとに光吸収体１０４を形成したフィルムを製作する必要があるため、任意の形状の溝１０３に対応するのにコストと時間がかかる。フレネルレンズ１０１の小型化や光学特性向上のためには、微細な任意の形状の溝１０３を多数形成する必要があり、溝１０３の側壁に光を遮蔽する光吸収体を形成する方法が求められている。
【０００６】
近年、微細なパターンを低コストかつ簡易的に形成する方法として、インクジェットによる塗布方法が広く用いられている。このインクジェットよる塗布方法は、インクジェット装置の塗布ヘッド備えられた複数のノズルから、所定の位置に対して、微小量のインクを吐出させて塗布を行う方法である。このインクジェット法によりフレネルレンズのレンズ面１０２の溝傾斜部に対して光吸収体１０４を含むインクを吐出させることで、フレネルレンズの任意の位置に形成された微細な溝の側壁に対して、光吸収体１０４を形成することが可能である。
【０００７】
しかしながら、一般的に、インクジェットにより吐出させるインクは垂直方向のためインクジェットにより塗布させる対象物は平面形状である。よって、フレネルレンズ１０１の溝１０３の側壁にインクを塗布するのは困難である。
【０００８】
そこで、インクジェットにより被対象物の側面に対してインクを塗布する方法として、例えば特許文献３に示すような方法が提案されている。図２（ａ）の斜視図は、特許文献３におけるインクジェットによる塗布方法を示している。図２（ａ）に示すように、搬送ベルト１０５上に設置した被対象物１０６である短冊状の絶縁物が設置されており、インクジェットの塗布ヘッド１０７を斜め上方に設置し、被対象物１０６の側面を狙って斜めから側面電極用ペーストを吐出させて、短冊状の被対象物１０６の側面に側面電極用のペースト１０８を塗布する。図２（ｂ）は、被対象物１０６である短冊状の絶縁物に側面電極用のペースト１０８を塗布した後の状態を示した図である。搬送ベルト１０５上の短冊状の絶縁物を搬送させながら側面電極用のペースト１０８を斜めから吐出させることで、短冊状の被対象物１０６の側壁全面にペースト１０８を塗布することができる。
【０００９】
特許文献３に示された方法でフレネルレンズ１０１の溝１０３の側壁に塗布する場合の塗布方法を図３（ａ）に示す。フレネルレンズ１１０を固定および矢印の方向に移動する搬送用のジグ１１１が設置されるとともに、インクジェットの塗布ヘッド１１２が搬送ジグ斜め上方に設置する必要がある。この構成により、フレネルレンズ１１０を固定させたジグ１１１を移動させながら、光吸収体１０４を含むインク１１３を塗布ヘッド１１２から斜めから吐出させる。
【００１０】
図３（ｂ）の断面図は、光吸収体１０４を含むインク１１３をフレネルレンズ１１０の溝の側壁１１４に対して吐出したときの図である。光吸収体１０４を含むインク１１３をフレネルレンズ１１０の溝の側壁１１４を狙ってインク１１３を吐出させることで側壁１１４に光吸収体１０４を着弾させる。フレネルレンズ１１０の溝の側壁１１４に光吸収体１０４を含むインク１１３を着弾させた後、乾燥や硬化等を行い、溝の側壁１１４に光吸収体１０４を形成する。
【先行技術文献】
【特許文献】
【００１１】
【特許文献１】特開平４−１６３５３９号公報
【特許文献２】特昭５８−１８６７３２号公報
【特許文献３】特開２００８−２６３０９４号公報
【発明の概要】
【発明が解決しようとする課題】
【００１２】
図４（ａ）は、特許文献３の方法でフレネルレンズの溝の側壁１１４に光吸収体１０４を形成したときの断面図を示す。この断面図に示すようにインクジェットで光吸収体１０４を含むインク１１３を側壁１１４に着弾させた後、インク１１３は側壁を伝わり側壁１１４の下底部の方に流動し、その後、下底部からさらにインク１１３が広がっていくために、光吸収体１０４は側壁１１４の幅だけでなくその下底部に対して大きな距離まで濡れ広がっていく。
【００１３】
図４（ｂ）は、フレネルレンズの溝の側壁に光吸収体１０４を形成したときの上面図を示す。この上面図に示すように、光吸収体１０４は、フレネルレンズの側壁の幅１１５だけでなく側壁下底部に広い幅１１６で光吸収体が形成されてしまう。このとき投射光をフレネルレンズに入射させたとき、フレネルレンズの側壁１１４の下底部に広く形成された光吸収体１０４で光が吸収されるために影となりレンズの光学特性を大幅に低減させてしまう。
【００１４】
本発明は、上記課題を解決するもので、レンズ面の複数の溝に形成される光吸収体の広がりを押さえたフレネルレンズとその膜形成方法を提供すること。
【課題を解決するための手段】
【００１５】
上記目的を達成するために、レンズ面に形成された複数の溝と、上記溝に形成された光吸収体と、を含み、上記光吸収体は波打ち形状を為しているフレネルレンズを用いる。また、ノズルから光吸収体を有するインクを、フレネルレンズの溝の下底部にドット状で吐出させる第１工程と、上記ドット状のインクを硬化させる第２工程と、上記インクを、上記溝の側壁に対してドット状に吐出させる第３工程と、上記側壁に吐出させたインクを硬化させる第４工程と、を含むフレネルレンズの膜形成方法を用いる。
【発明の効果】
【００１６】
本発明のフレネルレンズの製造方法によれば、まず、インクジェットによりレンズ面に形成された溝の側壁下底部に光吸収体を有する小液滴インクを着弾させて光吸収体を形成させる。次にインクジェットによりレンズ面に形成された溝の側壁中央部に対して光吸収体を有する液滴インクを着弾させる。レンズ溝の側壁に対してインクを着弾させたとき、溝の側壁下底部に形成された光吸収体によりインクの側壁下底部への流動が抑えられる。そのため、フレネルレンズの溝の側壁に光吸収体を形成するとき、溝の下底部に光吸収体の濡れ広がりがなく、側壁のみに光吸収体を形成することができる。
【図面の簡単な説明】
【００１７】
【図１】（ａ）従来のフレネルレンズの斜視図、（ｂ）フレネルレンズの溝部の拡大断面図、（ｃ）フレネルレンズの溝部に光吸収体を形成したときの断面図
【図２】（ａ）従来のインクジェット法による断面への塗布方式を示す断面図、（ｂ）従来のインクジェット法で矩形ワークの側面に塗布したときの斜視図
【図３】（ａ）従来のインクジェット法で溝部への光吸収体の形成方法を示した斜視図、（ｂ）従来のインクジェット法で溝部への光吸収体の形成方法を示した断面図
【図４】（ａ）従来のインクジェット法により溝部へ光吸収体を形成したときの断面図、（ｂ）従来のインクジェット法により溝部へ光吸収体を形成したときの上面図
【図５】（ａ）実施の形態のフレネルレンズの斜視図、（ｂ）実施の形態のフレネルレンズの溝部の拡大断面図
【図６】本発明におけるインクジェット装置の構成を示した斜視図
【図７】（ａ）〜（ｄ）本発明のフレネルレンズの製造方法において、レンズ溝の下底部に光吸収体を形成させる製造方法を示した断面図および上面図
【図８】（ａ）〜（ｄ）本発明のフレネルレンズの製造方法において、レンズ溝の側壁に光吸収体を形成させる製造方法を示した断面図および上面図
【発明を実施するための形態】
【００１８】
以下本発明の実施の形態について、図面を参照しながら説明する。
【００１９】
（実施の形態）
＜フレネルレンズ＞
実施の形態のフレネルレンズを、図５（ａ）の斜視図に示す。フレネルレンズ１のレンズ面２に複数個の平行直線状の溝３が形成されている。図５（ｂ）は、レンズ面２のＡ部分を拡大した断面図である。なお、溝３は、この場合、Ｖ字状であるが、Ｖ字に限られない。また、Ｖ字の両平面は、フレネルレンズを水平にした時、水平ではないが、一方が水平、または、垂直でもよい。
【００２０】
フレネルレンズ１を形成する基材や厚みは、特に限定されるものではないが、光学特性的に着色や濁り等により透過率が低減するものは好ましくない。また、必要に応じてレンズの表面に反射防止膜を形成しても良い。フレネルレンズ１の溝３の形成方法については、基材を切削加工する方法や合成樹脂の射出成型、加熱による転写方法など特に限定されないが、光学特性を確保するために設計値どおりの溝３を形成する必要がある。このとき、溝３の加工によるバリや汚れ等を残さないようにする必要がある。
【００２１】
フレネルレンズ１の溝３の構造は、図５（ｂ）に示すように、垂直に溝３が形成されているのではなく、若干の傾斜角をもった溝３を形成させることでフレネルレンズの光学特性を持たせている。
＜フレネルレンズ溝へインク吐出させるためのインクジェット装置＞
フレネルレンズ１に形成された平行直線状の溝３に対して、レンズの光学特性の劣化を防ぐために溝３の側壁に光吸収体４を形成する。このときインクジェット装置を用いて、光吸収体４を有するインクをインクジェット装置の塗布ノズルから吐出させて、溝３の側壁に光吸収体４の塗布膜を形成させる。
【００２２】
図６は、実施の形態の実施の形態におけるインクジェット装置の斜視図を示した図である。実施の形態のインクジェット装置は、架台２０上に設置された可動のステージ２１と、架台をまたぐように設置されたガントリー（門柱）２２、塗布ヘッド２３および紫外線照射装置２４を設置するための支持フレーム２５、および観察カメラ２６から構成される。
【００２３】
架台２０は剛性が強く平面度の高い構造の定盤を用いる（たとえば、石定盤）。架台２０上には、塗布ヘッド２３に対して縦方向および横方向に移動することのできるステージ２１が設置されている。ステージ２１には、塗布ヘッド２３に対して、縦横の方向に自由に移動できるようにそれぞれの方向についてボールネジ２７が接続されている。ボールネジ２７には、ボールネジ２７を回転させるためのモータ２８が接続され、モータ２８の回転を制御することでステージ２１の位置を自由に移動させる。モータ２８には、モータの回転制御を行うための制御装置に接続され、制御装置からの指令によって、架台２０上の所定の位置に任意の速度で移動させることができる。
【００２４】
ステージ表面には細かい小さな穴が開いており、これらの穴は真空排気させることができる。ステージ上にフレネルレンズを設置したとき小さい穴を真空吸引することでフレネルレンズを固定することができる。
【００２５】
ガントリー２２は、架台同様に剛性を高くしたフレームによって構成されている。ガントリー２２には、塗布ヘッド２３、紫外線照射装置２４が設置された支持フレーム２５が設置されている。この支持フレーム２５は剛性が高い構造のフレームを使用し、塗布ヘッド２３、紫外線照射装置２４を取り付けても変形がほとんど無いようにしている。
【００２６】
支持フレーム２５には、塗布ヘッド２３を取り付けるためのブラケットが設置されている。このブラケットには、塗布ヘッド２３とステージ表面との並行度および、塗布ヘッド２３とステージ２１との距離が調整できるような調整機構がある。この調整機構により、塗布ヘッド２３とステージ２１との平行度、および、塗布ヘッド２３とステージ２１との距離を適切に調整した状態で塗布ヘッド２３が設置されている。
【００２７】
図６では、塗布ヘッド２３の数が１ヘッドのみ指示しているが複数個のヘッドを設置する事が出来る。塗布ヘッド２３のそれぞれのノズルから紫外線硬化型インクを吐出させるために、圧電素子によって各ノズル内の内圧を変動させて紫外線硬化型インクを吐出させる塗布ヘッド２３を用いた。各ノズルから吐出する塗布液の吐出量を制御するには、各ノズルに設置された圧電素子の電圧を制御することが必要である。塗布ヘッド２３には、各ノズルに設置された圧電素子を制御するための制御装置が接続されおり、この制御装置から塗布ヘッド２３の各ノズルの圧電素子を制御するとで、要求された塗布パターンを塗布するためのインクの吐出を行うことができる。塗布ヘッド２３には、紫外線硬化型インクを供給するためのインク供給配管が接続されており、適宜、紫外線硬化型インクを塗布ヘッド２３に供給して安定したインクの吐出を行っている。
【００２８】
塗布ヘッド２３が設置された支持フレーム２５の先端側には、紫外線照射装置２４が取り付けられている。紫外線照射装置２４の照射エネルギーはインクジェット装置の制御装置で制御することができる。
【００２９】
ガントリーに接続された支持フレーム２５の近傍には、観察カメラ２６が設置されている。塗布ヘッド２３からインクを吐出した後の着弾位置を観察することができる。観察カメラ２６の位置は上下方向に位置を調整する機構が設置されており、焦点距離を調整することができる。
【００３０】
＜フレネルレンズの溝へのインク吐出＞
フレネルレンズ１の溝３の側壁に対して、光吸収体４を有するインクを吐出させる時、溝３の位置にインクが着弾するように位置合わせをする必要がある。そのためインクジェット装置から吐出させるインクの着弾精度を確保する必要がある。そのため、インクジェット装置の塗布ヘッドとフレネルレンズ１のレンズ面２との距離は２ｍｍ以下の距離で設置されている。これは、インクジェット装置の塗布ヘッドから吐出されるインクの飛距離が長いと着弾位置のばらつきが大きり、正確に所定の位置にインクを着弾させることが困難となるためである。
【００３１】
インクジェット装置の塗布ヘッドからインクを吐出させるときの位置合わせは、フレネルレンズ上に位置合わせ用のアライメントマークをあらかじめ加工しておいて、このマークをアライメントカメラで認識して位置合わせを行う。アライメントマークの位置情報を搬送ステージに与えることで、搬送ステージ上のレンズの溝の位置にインクを塗布するように調整できる。
【００３２】
この時、フレネルレンズ１上に位置合わせ用のアライメントマークを加工しなくても、レンズに形成した溝３やレンズの端部の位置などを認識して位置合わせをしても良い。あるいは、インクジェット装置にアライメントカメラが無くても、搬送ステージ上に設置されたフレネルレンズに対して厚みの薄いカバーフィルムを張り、インクジェット装置の塗布ヘッドからフィルム上にインクを吐出させて、ステージの位置や塗布ヘッドの位置を調整させてレンズの溝の位置にインクが吐出させるように調整しても良い。
【００３３】
インクジェット装置の塗布ヘッドからインクを吐出後、インクジェット装置の観察によりレンズの溝３の位置からインクの着弾位置がずれている場合、搬送ステージ位置あるいは、塗布ヘッドの位置を調整して着弾位置の修正を行い着弾位置の精度を確保する。
【００３４】
フレネルレンズ１の溝３に形成する光吸収体４は、光を吸収させる物質であれば特に制限はない。ただし、インクジェット装置の塗布ノズルから吐出できることが条件となる。通常、インクジェット装置における塗布ヘッドのノズル径は、数十ミクロンであるため、光吸収体４は、数ミクロンからナノレベルの粒子を用いる必要がある。また、光吸収体を溶剤等のなかで分散させ、かつ、インク中で光吸収体の粒子を凝集させないようにする必要がある。インク中の粒子が凝集するとインクジェット装置の塗布ノズルに凝集物が詰まり、インクが吐出できなくためである。
【００３５】
インクジェット装置の塗布ヘッドから光吸収体を有するインクをフレネルレンズの溝側壁に着弾したあとは、インクを乾燥、硬化させる必要がある。インクが溶剤を含んだインクであれば熱で乾燥させる必要があり、紫外線硬化型のインクであれば紫外線を照射してインクを硬化させる必要がある。そのため、インクジェット装置には塗布ヘッドからインクを吐出させた後に乾燥、硬化を行う装置が設置され、塗布ヘッドからインクを吐出した直後に搬送ステージがこれらの装置に移動するように設定されている。インクジェット装置からインクを吐出させ、乾燥、硬化を行うことを考慮すると、光吸収体として炭素粒子を用いこれを感光性樹脂や添加材によりインク化した、紫外線硬化型の黒インクを用いるのが好ましい。
【００３６】
＜フレネルレンズ溝への光吸収体の形成工程＞
フレネルレンズ１に形成された溝３の側壁に対して光吸収体４を形成する工程は、以下の（１）〜（４）の工程を含む。
【００３７】
（１）第１工程：フレネルレンズ１の溝３の側壁の下底部に対して、インクジェット装置の塗布ヘッドから光吸収体を有するインクの小液滴を吐出させる。
【００３８】
（２）第２工程：フレネルレンズ１の溝３の側壁の下底部に着弾した光吸収体を有するインクを硬化させて、レンズ溝の下底部に光吸収体を形成させる。
【００３９】
（３）第３工程：フレネルレンズ１の溝３の側壁の下底部に光吸収体を形成した後、レンズの溝３の側壁に光吸収体４を有するインクを吐出させる。
【００４０】
（４）第４工程：フレネルレンズ１の溝３の側壁に着弾した光吸収体４を有するインクを硬化させて、溝３の側壁および下底部に光収集体を形成する。
【００４１】
（１）フレネルレンズ１の溝３の側壁の下底部に対して、インクジェット装置の塗布ヘッドから光吸収体４を有するインクの小液滴を吐出させる第１の工程を図７（ａ）、図７（ｂ）に示す。
【００４２】
第１の工程では、図７（ａ）の断面図に示すようにフレネルレンズ１の溝３の側壁３１の下底部３２に光吸収体４を有するインク３３が着弾するように、インクジェット装置の塗布ノズルから光吸収体４を有するインクを吐出させる。塗布ノズルからフレネルレンズ１の溝３の側壁３１の下底部３２に対して、図７（ｂ）の上面図に示すように、インクジェット装置の塗布ノズルから等しい塗布のピッチ３４で溝３の下底部３２の直線に沿ってインク３３を着弾させる。このとき、塗布ヘッドから吐出させるインク３３の塗布のピッチ３４は、溝３の幅３５と同じ距離のピッチになるように、塗布ヘッドから吐出させるインクの吐出タイミング、および、レンズが固定された搬送ステージの動作速度を制御させる。
【００４３】
インクジェット装置の塗布ヘッドからフレネルレンズ１の溝３の側壁３１の下底部３２へ吐出させる光吸収体４を有するインク３３の液滴量は、インク３３が着弾した時に着弾痕（第１ドット体の径）の直径が溝３の幅３５の０．４±０．０６倍になるように調整する。あらかじめ、インクジェット装置の塗布ヘッドから吐出されるインク３３の量と着弾痕の直径との相関を調査しておき、吐出量の調整を行う必要がある。
【００４４】
（２）フレネルレンズ１の溝３の側壁３１の下底部３２に着弾した光吸収体４を有するインク３３を硬化させて、溝３の下底部３２に光吸収体４を形成させる第２の工程を図７（ｃ）の断面図と図７（ｄ）の上面図に示す。
【００４５】
第２の工程では、フレネルレンズ１の溝３の側壁３１の下底部３２に光吸収体４を有するインク３３が着弾した後、図７（ｃ）、図７（ｄ）に示すようにインク３３を乾燥、硬化させてレンズの側壁３１の下底部３２に光吸収体３６（第１ドット体）を形成させる。インクによって、乾燥、硬化方法を選択する必要がある。インク３３に溶媒などを用いた場合はヒーター等を用いてインク３３中に溶媒を除去させて光吸収体３６（第１ドット体）を形成させる。感光性樹脂を用いる場合は、紫外線を照射させてインク３３を固化させて光吸収体を形成させる。
【００４６】
（３）フレネルレンズ１の溝３の側壁３１の下底部３２に光吸収体３６（第１ドット体）を形成した後、溝３の側壁３１に光吸収体を有するインクを吐出させる第３の工程を図８（ａ）、図８（ｂ）に示す。
【００４７】
第３の工程では、図８（ａ）の断面図に示すように、フレネルレンズ１の溝の側壁３１の下底部３２に光吸収体３６（第１ドット体）を形成した後、溝３の側壁３１に光吸収体を有するインク３３が着弾するように、インクジェット装置の塗布ノズルから光吸収体を有するインク３３を吐出させる。
【００４８】
インクジェット装置の塗布ノズルから光吸収体を有するインク３３を吐出させる時、フレネルレンズの溝の側壁３１に対して、側壁の幅３５の中央部にインク３３が着弾するように吐出位置を調整する。また、図８（ｂ）の上面図に示すように、インクジェット装置の塗布ノズルから等しいピッチ３７で溝３の側壁３１の幅３５内を通る直線に沿ってインク３３を着弾させる。このとき、塗布ヘッドから吐出させるインク３３の塗布のピッチ３７は、溝３の幅３５と同じ距離のピッチ３７になるように、塗布ヘッドから吐出させるインク３３の吐出タイミング、および、フレネルレンズ１が固定された搬送ステージの動作速度を制御させる。このとき、フレネルレンズ１の下底部３２に形成させた光吸収体３６（第１ドット体）の塗布のピッチ３４に対して半ピッチずらした位置で、インクジェット装置の塗布ヘッドから光吸収体を有するインク３３を吐出させる。インクジェット装置の塗布ヘッドからフレネルレンズ１の溝３の側壁３１の下底部３２へ吐出させる光吸収体を有するインク３３の液滴量は、インク３３が着弾したときに着弾痕の直径が溝３の幅３５と同等のばらつきの長さになるように調整する。着弾痕の直径は、溝３の幅３５の１５％までのばらつきを許容する。あらかじめ、インクジェット装置の塗布ヘッドから吐出されるインク３３の量と着弾痕の直径との相関を調査しておき、吐出量の調整を行う。
【００４９】
なお、第１の工程でフレネルレンズ１の溝の側壁３１の下底部３２に吐出させる光吸収体を有するインク３３と、第３の工程で、フレネルレンズ１の溝の側壁３１に対して吐出させる光吸収体を有するインク３３とは、同じインク３３が好ましいが異なっても良い。ただし、この場合インクジェット装置に複数の塗布ヘッドを配置させ、それぞれのインク３３の吐出を制御させる必要がある。
【００５０】
また、第３の工程においては、インクジェット装置の塗布ヘッドから光吸収体を有するインク３３の吐出量は、１回の吐出量を小さく設定し、複数回吐出させることで溝３の幅３５と同等になるように設定してもよい良い。つまり、第２ドット体の径は、溝３の幅３５と同等である。
【００５１】
（４）フレネルレンズ１の溝３の側壁３１に着弾した光吸収体を有するインク３３を硬化させて、溝３の側壁３１および下底部３２に光吸収体を形成する第４の工程を図８（ｃ）と図８（ｄ）に示す。
【００５２】
第４の工程では、フレネルレンズ１の溝３の側壁３１の光吸収体を有するインク３３を着弾させた後、第２の工程と同様の方法で、インク３３を硬化させて、下底部３２に形成した光吸収体３６（第１ドット体）上に側壁３１に光吸収体４０（第２ドット体）を形成させる。
【００５３】
第３の工程でフレネルレンズ１の溝３の側壁３１に光吸収体を有するインク３３を吐出させて側壁３１に着弾した後、インク３３は自重によって側壁３１の下底部３２に流動していく。この時、下底部３２には、光吸収体３６（第１ドット体）が等しいピッチ３４で形成されているために、図８（ｃ）の断面図や図８（ｄ）の上面図に示すように、フレネルレンズ１の溝３の側壁３１から流動する光吸収体４０（第２ドット体）を含むインクの流れが、下底部３２に形成された光吸収体３６（第１ドット体）によって制限される。よって、フレネルレンズ１の溝３の側壁３１に光吸収体を有するインク３３を着弾させて硬化した時、側壁３１の幅３５に対して溝３の下底部３２へのインク３３の濡れ広がりを大きく抑えることができる。これで、下底部３２に対して濡れ広がり幅３９が抑えられた光吸収体５０を形成することができる。また、フレネルレンズ１の溝３の下底部３２で濡れ広がった光吸収体５０は微細な波打ち形状の為、下底部３２に対して直線状に光吸収体を形成する場合に比べて光学特性の性能が良好となる。光吸収体３６（第１ドット体）は、光吸収体４０（第２ドット体）より小さく、濡れ広がらりにくい。光吸収体は、光吸収体３６と光吸収体４０とのため、下部の端面が波形状４５となっている。上部端面は、下部端面よりは波打たない。
【００５４】
なお、フレネルレンズ１の溝３の側壁３１に着弾した光吸収体を有するインクの膜厚を厚くさせて光吸収の効果を高めたい場合は、第３の工程と第４の工程を繰り返し行えばよい。
（実施例）
アクリル樹脂に深さ１５０μｍ、傾斜の幅（側壁３１の幅３５）５０μｍの溝３を切削加工で複数形成し、反射防止膜としてフッ素系の樹脂薄膜を形成したフレネルレンズ１の溝３の側壁３１に光吸収体を形成した実施例を以下に示す。
【００５５】
光吸収体を含むインクを吐出するためのインクジェット装置はピエゾ方式の塗布ヘッドを有する装置を用いた。塗布ヘッドにおける各ノズルの直径は２０μｍのノズルを使用した。所定の吐出波形をピエゾに印加させることで光吸収体を含むインク３３の吐出を行った。吐出波形の調整を行うことで、所定の液滴量のインク３３を吐出させることができる。
【００５６】
光吸収体を有するインク３３としては、光吸収体としてカーボンブラックを含んだ紫外線硬化型の黒インクを使用した。（ＫＩＳ−ＬＥＤ  ＢＬＡＣＫ：株式会社ＤＮＰファインケミカル社製）インク粘度は、１０ｍＰａ・ｓに調合された紫外線硬化型の黒インク（以下、黒インク）を使用した。
【００５７】
インクジェット装置の塗布ヘッドの下部に設置された搬送ステージにフレネルレンズ１を固定し、ステージの移動とインクジェット装置の塗布ヘッドから吐出させるインク３３の吐出タイミングを制御することで、フレネルレンズ１の所定の位置にインク３３を吐出させることができる。インクジェット装置の塗布ヘッドとフレネルレンズ１の表面とのギャップ距離は１．５ｍｍで設定した。
【００５８】
まず、フレネルレンズ１の溝３の下底部に黒インクが着弾するように、インクジェット装置を調整した。インクジェット装置の塗布ヘッドから吐出される黒インクの液滴の量が２．５ｐｌになるように吐出波形を調整し、塗布のピッチ３４が５０μｍになるように、吐出タイミングと搬送ステージの移動速度を調整して、溝３の下底部３２に直径約２５μｍの黒いインク３３の着弾痕を形成した。その後、紫外線照射装置から紫外線を照射させて、下底部３２に黒いインク３３による光吸収体３６（第１ドット体）を形成した。
【００５９】
次に、フレネルレンズ１の溝３の側壁３１の中心に黒いインク３３が着弾するように、インクジェット装置を調整した。インクジェット装置の塗布ヘッドから吐出される黒いインク３３の液滴の量が５ｐｌになるように吐出波形を調整し、塗布のピッチ３７が５０μｍで、かつ、下底部３２に形成した黒いインク３３のピッチ３４から半ピッチずらした位置になるように、吐出タイミングと搬送ステージの移動速度を調整して、側壁３１に黒いインク３３の着弾痕を形成した。その後、紫外線照射装置から紫外線を照射させることで、側壁３１、および下底部３２に濡れ広がりの少ない、少なくとも５μｍ以下の濡れ広がりで光吸収体４０（第２ドット体）である黒インクの塗布膜を形成できた。
【００６０】
また、実施の形態においては、フレネルレンズ１の製造方法として説明をしたが、レンズの溝３が複数同心円上に形成される従来のフレネルレンズ１においても同様に適用することができる。その場合、インクジェット装置の塗布ヘッドから光吸収体を有するインク３３を吐出させる時、塗布パターンを同心円の形状にし、レンズの溝３の下底部３２、および側壁３１にインク３３が着弾するように、インクジェット装置による塗布パターンを調整すればよい。
【産業上の利用可能性】
【００６１】
本発明のフレネルレンズの製造方法は、垂直に近い形状に対して側壁のみにインクを塗布することが出来る。よって、フレネルレンズの製造だけでなく、各種、立体構造の側壁に対して塗布膜を形成する製造方法に適用することができる。例えば、３次元構造を有するデバイスの側壁へ機能膜の形成や立体形状のデザインの加飾など、広く利用されることができる。
【符号の説明】
【００６２】
１  フレネルレンズ
２  レンズ面
３  溝
４  光吸収体
２０  架台
２１  ステージ
２２  ガントリー
２３  塗布ヘッド
２４  紫外線照射装置
２５  支持フレーム
２６  観察カメラ
２７  ボールネジ
２８  モータ
３１  側壁
３２  下底部
３３  インク
３４  ピッチ
３５  幅
３６  光吸収体（第１ドット体）
３７  ピッチ
３９  幅
４０  光吸収体（第２ドット体）
４５  波形状
５０  光吸収体
１０１  フレネルレンズ
１０２  レンズ面
１０３  溝
１０４  光吸収体
１０５  搬送ベルト
１０６  被対象物
１０７  塗布ヘッド
１０８  ペースト
１１０  フレネルレンズ
１１１  ジグ
１１２  塗布ヘッド
１１３  インク
１１４  側壁
１１５  幅
１１６  幅
【図１】
2018101098.tif 000003
【図２】
2018101098.tif 000004
【図３】
2018101098.tif 000005
【図４】
2018101098.tif 000006
【図５】
2018101098.tif 000007
【図６】
2018101098.tif 000008
【図７】
2018101098.tif 000009
【図８】
2018101098.tif 000010